(57)【要約】【課題】セルラー網用通信インタフェース（以下、インタフェースをＩＦと称する）と、少なくとも１つのローカルネットワーク用通信ＩＦとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末の電力消費を抑制できるようにすることを目的とする。【解決手段】携帯端末２は、セルラー網用通信ＩＦ４０１ａとローカルネットワーク用通信ＩＦ（ＷＭＡＮ用通信ＩＦ４０１ｂ、ＷＬＡＮ用通信ＩＦ４０１ｃ）にそれぞれ電源を供給する電源部４０２を制御する制御部４０３に、当該携帯端末２がローカルネットワークに接続中に呼の発生の通知をローカルネットワーク用通信ＩＦで受信したとき、セルラー網用通信ＩＦ４０１ａに電源を供給させるよう通信ＩＦ制御部４０３ｂに指令するデータ解析部４０３ｃを備える。【選択図】図４
2009246433.tif 000002
【特許請求の範囲】
【請求項１】
セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、
前記セルラー網用通信インタフェースと前記ローカルネットワーク用通信インタフェースとにそれぞれ電源を供給する電源部と、
前記電源部を制御する制御部とを備え、
前記制御部は、
当該携帯端末が前記ローカルネットワークに接続しているとき、前記ローカルネットワーク用通信インタフェースに電源を供給させるように前記電源部を制御する通信インタフェース制御部と、
当該携帯端末が前記ローカルネットワークに接続中にセルラー網における呼の発生の通知を前記ローカルネットワーク用通信インタフェースで受信したとき、更に、前記セルラー網用通信インタフェースが停止していた場合に前記セルラー網用通信インタフェースに電源を供給させるように前記通信インタフェース制御部に指令する指令部と
を備えたことを特徴とする携帯端末。
【請求項２】
セルラー網用通信インタフェースと、複数のローカルネットワーク用通信インタフェースとを具備し、所定の通信エリアを有するセルラー網と、前記セルラー網の通信エリア内に前記セルラー網の通信エリアより狭い通信エリアを有する複数のローカルネットワークとに接続可能な携帯端末において、
前記セルラー網用通信インタフェースと前記複数のローカルネットワーク用通信インタフェースとにそれぞれ電源を供給する電源部と、
前記電源部を制御する制御部とを備え、
前記制御部は、
当該携帯端末が所定のローカルネットワークに接続しているとき、前記所定のローカルネットワーク用通信インタフェースに電源が供給されるように前記電源部を制御する通信インタフェース制御部と、
当該携帯端末が前記所定のローカルネットワークに接続中に受信した信号の電界強度または受信の安定度に基づき前記所定のローカルネットワーク以外のローカルネットワークまたは前記セルラー網へのハンドオーバが必要であるか否かを判定し、
ハンドオーバが必要であると判定したとき、前記所定のローカルネットワーク用通信インタフェース以外のローカルネットワーク用通信インタフェースまたは前記セルラー網用通信インタフェースに電源を供給させるよう前記通信インタフェース制御部に指令し、
前記所定のローカルネットワーク用通信インタフェース以外のローカルネットワーク用通信インタフェースまたは前記セルラー網用通信インタフェースに電源供給後、前記所定のローカルネットワーク以外のローカルネットワークまたは前記セルラー網用通信インタフェースに接続したとき、前記所定のローカルネットワーク用通信インタフェースへの電源供給を停止させるように前記通信インタフェース制御部に指令する指令部と
を備えたことを特徴とする携帯端末。
【請求項３】
セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、
前記セルラー網用通信インタフェースへ電源供給を行うか停止するかを設定する操作部と、
前記セルラー網用通信インタフェースと前記ローカルネットワーク用通信インタフェースとにそれぞれ電源を供給する電源部と、
前記ローカルネットワーク用通信インタフェースに電源供給を停止する設定が前記操作部で行われたとき、前記ローカルネットワーク用通信インタフェースへの電源供給を停止すると共に、前記セルラー網用通信インタフェースに電源を供給させるように前記電源部を制御する通信インタフェース制御部と、
を備えたことを特徴とする携帯端末。
【請求項４】
セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、
前記セルラー網用通信インタフェースと前記ローカルネットワーク用通信インタフェースとにそれぞれ電源を供給する電源部と、
前記電源部を制御する制御部とを備え、
前記制御部は、
当該携帯端末が所定のローカルネットワークに接続しているとき、前記所定のローカルネットワーク用通信インタフェースに電源が供給されるように前記電源部を制御する通信インタフェース制御部と、
当該携帯端末が前記所定のローカルネットワークに接続中に受信した信号の電界強度または受信の安定度に基づき前記所定のローカルネットワークから前記セルラー網へのハンドオーバが必要であるか否かを判定し、
ハンドオーバが必要であると判定されたとき、前記セルラー網用通信インタフェースへの電源供給の開始と前記ローカルネットワーク用通信インタフェースへの電源供給の停止を前記通信インタフェース制御部に指令する指令部と
を備えたことを特徴とする携帯端末。
【請求項５】
請求項１記載の携帯端末において、
前記指令部に制御され、前記セルラー網用通信インタフェースに電源が供給されたとき、前記指令部からの指令で当該携帯端末を通話可能な状態とし、通話が終了したとき前記セルラー網用通信インタフェースへの電源供給を停止させるよう前記通信インタフェース制御部に指令する呼制御部を備えたことを特徴とする携帯端末。
【請求項６】
所定の通信エリアを有するセルラー網と、前記セルラー網の通信エリア内に前記セルラー網の通信エリアより狭い通信エリアを有する少なくとも１つのローカルネットワークと、前記セルラー網用通信インタフェース及び前記ローカルネットワーク用通信インタフェースを具備すると共に、前記セルラー網及び前記ローカルネットワークに接続可能な複数の携帯端末とを有する無線ネットワークシステムにおいて、
前記セルラー網とバックボーンネットワークとに接続されると共に前記セルラー網内の全ての前記携帯端末を管理する第１の携帯端末記憶装置と、
前記ローカルネットワークと前記バックボーンネットワークとに接続されると共に前記ローカルネットワークに接続している全ての前記携帯端末を管理する第２の携帯端末記憶装置とを備え、
前記携帯端末は、
前記セルラー網用通信インタフェースと前記ローカルネットワーク用通信インタフェースとにそれぞれ電源を供給する電源部と、
前記電源部を制御する制御部とを備え、
前記制御部は、
当該携帯端末が前記ローカルネットワークに接続しているとき、前記ローカルネットワーク用通信インタフェースに電源を供給させるように前記電源部を制御する通信インタフェース制御部と、
呼が発生して、前記呼の発生が、前記第１の携帯端末記憶装置から前記第２の携帯端末記憶装置へ前記バックボーンネットワークを介して通知され、
更に、前記呼の発生が、前記第２の携帯端末記憶装置から前記携帯端末へ前記ローカルネットワークを介して通知され、前記呼の発生の通知を前記携帯端末の前記ローカルネットワーク用通信インタフェースで受信したとき、
前記セルラー網用通信インタフェースに電源を供給させるように前記通信インタフェース制御部に指令する指令部と
を備えたことを特徴とする無線ネットワークシステム。
【請求項７】
所定の通信エリアを有するセルラー網と、前記セルラー網の通信エリア内に前記セルラー網の通信エリアより狭い通信エリアを有する複数のローカルネットワークと、前記セルラー網及び前記複数のローカルネットワークに接続可能な複数の携帯端末とを有する無線ネットワークシステムにおいて、
バックボーンネットワークと前記セルラー網とに接続され、前記セルラー網内の全ての前記携帯端末を管理する第１の携帯端末記憶装置と、
前記バックボーンネットワークと前記複数のローカルネットワークの内の所定のローカルネットワークとに接続され、前記所定のローカルネットワーク内の全ての前記携帯端末を管理すると共に、
前記所定のローカルネットワーク内に移動した所定の携帯端末が前記所定のローカルネットワークに接続したとき、前記バックボーンネットワークを介して前記第１の携帯端末記憶装置へ、前記所定の携帯端末が前記所定のローカルネットワークに接続したことを報知する複数の第２の携帯端末記憶装置と
を備えたことを特徴とする無線ネットワークシステム。
【請求項８】
所定の通信エリアを有するセルラー網と、前記セルラー網の通信エリア内に前記セルラー網の通信エリアより狭い通信エリアを有する少なくとも１つのローカルネットワークと、前記セルラー網用通信インタフェース及び前記ローカルネットワーク用通信インタフェースとを具備すると共に、前記セルラー網及び前記ローカルネットワークに接続可能な複数の携帯端末とを有する無線ネットワークシステムにおいて、
バックボーンネットワークと前記セルラー網とに接続され、前記セルラー網内の全ての前記携帯端末を管理する第１の携帯端末記憶装置と、
前記バックボーンネットワークと前記ローカルネットワークとに接続され、前記ローカルネットワーク内の全ての前記携帯端末を管理すると共に、
呼が発生し、前記呼の発生が前記第１の携帯端末記憶装置から前記バックボーンネットワークを介して通知された際、前記呼の発生を、前記ローカルネットワークを介して前記ローカルネットワークに接続された前記携帯端末に通知し、
前記通知により前記携帯端末が呼の受信が可能となったとき、前記バックボーンネットワークを介して前記第１の携帯端末記憶装置へ前記呼の受信が可能になった旨を通知する第２の携帯端末記憶装置とを備え、
前記携帯端末は、
前記セルラー網用通信インタフェースと前記ローカルネットワーク用通信インタフェース部にそれぞれ電源を供給する電源部と、
前記電源部を制御する制御部を備え、
前記制御部は、
当該携帯端末が前記ローカルネットワークに接続しているとき、前記ローカルネットワーク用通信インタフェースに電源を供給させるように前記電源部を制御する通信インタフェース制御部と、
前記呼の発生の通知を前記ローカルネットワーク用通信インタフェースで受信したとき、当該携帯端末が呼の受信が可能となるように前記セルラー網用通信インタフェースに電源が供給されるように前記通信インタフェース制御部に指令する指令部と
を備えたことを特徴とする無線ネットワークシステム。
【発明の詳細な説明】
【技術分野】
【０００１】
本発明は、複数のネットワークと接続可能な携帯端末の電力消費の低減と、この携帯端末を用いた無線ネットワークシステムに関する。
【背景技術】
【０００２】
従来の携帯端末として、特許文献１では、広範囲なエリアをカバーする第１のネットワーク（例えば、セルラー網）と、ホットスポット方式の第２のネットワーク（例えば、ＷＬＡＮ）の双方と接続が可能な携帯端末において、第２のネットワークエリア内に携帯端末が存在するときにだけ、第２のネットワーク用送受信部の電源をオンにすることが記載されている。なお、携帯端末が第２のネットワークエリア内に存在するか否かの判定は、携帯端末の位置検出部で得られた携帯端末位置情報と携帯端末自身または基地局が所有する第２のネットワークエリア情報とに基づいて行う。
【特許文献１】特開２００４−３２０４７３号公報
【発明の開示】
【発明が解決しようとする課題】
【０００３】
前記の従来の携帯端末では、第２のネットワークエリア内に携帯端末が存在するとき、第１のネットワークと通信していないときでも、第１のネットワーク用送受信部の電源がオンとなるようにしていた。即ち、第１ネットワーク用送受信部の電源を常時オンとなるようにしていた。電源を常時オンとなるようにした理由は、携帯端末が第２のネットワークと接続中でも、第１のネットワーク内の他の携帯端末からの着呼があったときに対応できるようにするためである。従って、第２のネットワークと接続中のとき、第２のネットワーク用送受信部だけでなく、第１のネットワーク用送受信部の電源をオンとしなければならないことにより、無駄な電力消費が発生する。よって、電力消費を抑制することができないという問題があった。
【０００４】
そこで本発明では、無駄な電力消費の発生を抑えることにより、電力消費を抑制することができる携帯端末及び携帯端末を用いた無線ネットワークシステムを提供することを目的とする。
【課題を解決するための手段】
【０００５】
前記の目的を達成するために、請求項１に係る携帯端末では、セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、前記セルラー網用通信インタフェースと前記ローカルネットワーク用通信インタフェースとにそれぞれ電源を供給する電源部と、前記電源部を制御する制御部とを備え、前記制御部は、当該携帯端末が前記ローカルネットワークに接続しているとき、前記ローカルネットワーク用通信インタフェースに電源を供給させるように前記電源部を制御する通信インタフェース制御部と、当該携帯端末が前記ローカルネットワークに接続中にセルラー網における呼の発生の通知を前記ローカルネットワーク用通信インタフェースで受信したとき、更に、前記セルラー網用通信インタフェースが停止していた場合に前記セルラー網用通信インタフェースに電源を供給させるように前記通信インタフェース制御部に指令する指令部とを備えたことを特徴とする。
【０００６】
このように構成したことにより、所定のネットワークに接続中に呼が発生した場合、この呼の発生を契機にセルラー網用通信インタフェースを起動させることで、呼に対応することができる。
【０００７】
更に、請求項２に係る携帯端末では、セルラー網用通信インタフェースと、複数のローカルネットワーク用通信インタフェースとを具備し、所定の通信エリアを有するセルラー網と、前記セルラー網の通信エリア内に前記セルラー網の通信エリアより狭い通信エリアを有する複数のローカルネットワークとに接続可能な携帯端末において、前記セルラー網用通信インタフェースと前記複数のローカルネットワーク用通信インタフェースとにそれぞれ電源を供給する電源部と、前記電源部を制御する制御部とを備え、前記制御部は、当該携帯端末が所定のローカルネットワークに接続しているとき、前記所定のローカルネットワーク用通信インタフェースに電源が供給されるように前記電源部を制御する通信インタフェース制御部と、当該携帯端末が前記所定のローカルネットワークに接続中に受信した信号の電界強度または受信の安定度に基づき前記所定のネットワーク以外のローカルネットワークまたは前記セルラー網へのハンドオーバが必要であるか否かを判定し、ハンドオーバが必要であると判定したとき、前記所定のローカルネットワーク用通信インタフェース以外のローカルネットワーク用通信インタフェースまたは前記セルラー網用通信インタフェースに電源を供給させるよう前記通信インタフェース制御部に指令し、前記所定のローカルネットワーク用通信インタフェース以外のローカルネットワーク用通信インタフェースまたは前記セルラー網用通信インタフェースに電源供給後、前記所定のローカルネットワーク以外のローカルネットワークまたは前記セルラー網用通信インタフェースに接続したとき、前記所定のローカルネットワーク用通信インタフェースへの電源供給を停止させるように前記通信インタフェース制御部に指令する指令部とを備えたことを特徴とする。
【０００８】
このように構成したことにより、携帯端末が他のネットワークの通信エリアに移動した場合、起動する通信インタフェースが移動元のネットワーク用の通信インタフェースから移動先のネットワーク用の通信インタフェースに切り換わることで、即ち、携帯端末の移動に伴い、最適なネットワーク用の通信インタフェースのみを起動させることができる。
【０００９】
更に、請求項３に係る携帯端末では、セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、前記セルラー網用通信インタフェースへ電源供給を行うか停止するかを設定する操作部と、前記セルラー網用通信インタフェースと前記ローカルネットワーク用通信インタフェースとにそれぞれ電源を供給する電源部と、前記ローカルネットワーク用通信インタフェースに電源供給を停止する設定が前記操作部で行われたとき、前記ローカルネットワーク用通信インタフェースへの電源供給を停止すると共に、前記セルラー網用通信インタフェースに電源を供給させるように前記電源部を制御する通信インタフェース制御部とを備えたことを特徴とする。
【００１０】
このように構成したことにより、携帯端末がローカルネットワークに接続していないときには、セルラー網用通信インタフェースが起動することで、呼が発生した場合、呼に対応することができる。
【００１１】
更に、請求項４に係る携帯端末では、セルラー網用通信インタフェースと、少なくとも１つのローカルネットワーク用通信インタフェースとを具備し、所定の通信エリアを有するセルラー網と、前記セルラー網の通信エリア内に前記セルラー網の通信エリアより狭い通信エリアを有する少なくとも１つのローカルネットワークとに接続可能な携帯端末において、前記セルラー網用通信インタフェースと前記ローカルネットワーク用通信インタフェースとにそれぞれ電源を供給する電源部と、前記電源部を制御する制御部とを備え、前記制御部は、当該携帯端末が所定のローカルネットワークに接続しているとき、前記所定のローカルネットワーク用通信インタフェースに電源が供給されるように前記電源部を制御する通信インタフェース制御部と、当該携帯端末が前記所定のローカルネットワークに接続中に受信した信号の電界強度または受信の安定度に基づき前記所定のローカルネットワークから前記セルラー網へのハンドオーバが必要であるか否かを判定し、ハンドオーバが必要であると判定されたとき、前記セルラー網用通信インタフェースへの電源供給の開始と前記ローカルネットワーク用通信インタフェースへの電源供給の停止を前記通信インタフェース制御部に指令する指令部とを備えたことを特徴とする。
【００１２】
このように構成したことにより、携帯端末がローカルネットワークとの接続が不可能となったとき、セルラー網用通信インタフェースが起動することで、呼が発生した場合、呼に対応することができる。
【００１３】
更に、請求項５に係る携帯端末では、請求項１記載の携帯端末において、前記指令部に制御され、前記セルラー網用通信インタフェースに電源が供給されたとき、前記指令部からの指令で当該携帯端末を通話可能な状態とし、通話が終了したとき前記セルラー網用通信インタフェースへの電源供給を停止させるよう前記通信インタフェース制御部に指令する呼制御部を備えたことを特徴とする。
【００１４】
このように構成したことにより、通話が行われている期間のみ、前記セルラー網用通信インタフェースへの電源供給が行われるようにすることができる。
【００１５】
更に、請求項６に係る無線ネットワークシステムでは、所定の通信エリアを有するセルラー網と、前記セルラー網の通信エリア内に前記セルラー網の通信エリアより狭い通信エリアを有する少なくとも１つのローカルネットワークと、前記セルラー網用通信インタフェース及び前記ローカルネットワーク用通信インタフェースを具備すると共に、前記セルラー網及び前記ローカルネットワークに接続可能な複数の携帯端末とを有する無線ネットワークシステムにおいて、前記セルラー網とバックボーンネットワークとに接続されると共に前記セルラー網内の全ての携帯端末を管理する第１の携帯端末記憶装置と、前記ローカルネットワークと前記バックボーンネットワークとに接続されると共に前記ローカルネットワークに接続している全ての携帯端末を管理する第２の携帯端末記憶装置とを備え、前記携帯端末は、前記セルラー網用通信インタフェースと前記ローカルネットワーク用通信インタフェースとにそれぞれ電源を供給する電源部と、前記電源部を制御する制御部とを備え、前記制御部は、当該携帯端末が前記ローカルネットワークに接続しているとき、前記ローカルネットワーク用通信インタフェースに電源を供給させるように前記電源部を制御する通信インタフェース制御部と、呼が発生して、前記呼の発生が、前記第１の携帯端末記憶装置から前記第２の携帯端末記憶装置へ前記バックボーンネットワークを介して通知され、更に、前記呼の発生が、前記第２の携帯端末記憶装置から前記携帯端末へ前記ローカルネットワークを介して通知され、前記呼の発生の通知を前記携帯端末の前記ローカルネットワーク用通信インタフェースで受信したとき、前記セルラー網用通信インタフェースに電源を供給させるように前記通信インタフェース制御部に指令する指令部とを備えたことを特徴とする。
【００１６】
このように構成したことにより、前記ローカルネットワークの通信エリア内に存在する携帯端末への呼が発生したとき、この呼の発生を、セルラー網を介することなく、携帯端末に通知することができる。
【００１７】
更に、請求項７に係る無線ネットワークシステムでは、所定の通信エリアを有するセルラー網と、前記セルラー網の通信エリア内に前記セルラー網の通信エリアより狭い通信エリアを有する複数のローカルネットワークと、前記セルラー網及び前記複数のローカルネットワークに接続可能な複数の携帯端末とを有する無線ネットワークシステムにおいて、バックボーンネットワークと前記セルラー網と接続され、前記セルラー網内の全ての前記携帯端末を管理する第１の携帯端末記憶装置と、前記バックボーンネットワークと前記複数のローカルネットワークの内の所定のローカルネットワークとに接続され、前記所定のローカルネットワーク内の全ての前記携帯端末を管理すると共に、前記所定のローカルネットワーク内に移動した所定の携帯端末が前記所定のローカルネットワークに接続したとき、前記バックボーンネットワークを介して前記第１の携帯端末記憶装置へ、前記所定の携帯端末が前記所定のローカルネットワークに接続したことを報知する複数の第２の携帯端末記憶装置とを備えたことを特徴とする。
【００１８】
このように構成したことにより、携帯端末がハンドオーバを行うことで接続先のローカルネットワークが変更したときでも、前記第１の携帯端末記憶装置は、前記携帯端末の接続先であるローカルネットワークを把握することができる。
【００１９】
更に、請求項８に係る無線ネットワークシステムでは、所定の通信エリアを有するセルラー網と、前記セルラー網の通信エリア内に前記セルラー網の通信エリアより狭い通信エリアを有する少なくとも１つのローカルネットワークと、前記セルラー網用通信インタフェース及び前記ローカルネットワーク用通信インタフェースを具備すると共に、前記セルラー網及び前記ローカルネットワークに接続可能な複数の携帯端末とを有する無線ネットワークシステムにおいて、バックボーンネットワークと前記セルラー網とに接続され、前記セルラー網内の全ての前記携帯端末を管理する第１の携帯端末記憶装置と、前記バックボーンネットワークと前記ローカルネットワークとに接続され、前記ローカルネットワーク内の全ての前記携帯端末を管理すると共に、呼が発生し、前記呼の発生が前記第１の携帯端末記憶装置から前記バックボーンネットワークを介して通知された際、前記呼の発生を、前記ローカルネットワークを介して前記ローカルネットワークに接続された前記携帯端末に通知し、前記通知により前記携帯端末が呼の受信が可能となったとき、前記バックボーンネットワークを介して前記第１の携帯端末記憶装置へ前記呼の受信が可能になった旨を通知する第２の携帯端末記憶装置とを備え、前記携帯端末は、前記セルラー網用通信インタフェースと前記ローカルネットワーク用通信インタフェース部にそれぞれ電源を供給する電源部と、前記電源部を制御する制御部を備え、前記制御部は、当該携帯端末が前記ローカルネットワークに接続しているとき、前記ローカルネットワーク用通信インタフェースに電源を供給させるように前記電源部を制御する通信インタフェース制御部と、前記呼の発生の通知を前記ローカルネットワーク用通信インタフェースで受信したとき、当該携帯端末が呼の受信が可能となるように前記セルラー網用通信インタフェースに電源が供給されるように前記通信インタフェース制御部に指令する指令部とを備えたことを特徴とする。
【００２０】
このように構成したことにより、前記携帯端末が前記呼の受信が可能となったとき、前記呼の受信が可能となった旨の情報が前記第２の携帯端末記憶装置から前記バックボーンネットワークを介して前記第１の携帯端末記憶装置へ通知される。
【発明の効果】
【００２１】
請求項１記載の発明によれば、所定のネットワークの通信エリア内に携帯端末が存在するときに呼が発生した場合、この呼の発生を契機にセルラー網用通信インタフェースを起動させることで、呼に対応することができる。その結果、常時、セルラー網用通信インタフェースを起動させておかなくても、呼に対応することができることにより、無駄な電力消費の発生を抑えることができるため、電力消費を抑制することができる。
【００２２】
請求項２記載の発明によれば、携帯端末が他のネットワークの通信エリアに移動した場合、起動する通信インタフェースが移動元のネットワーク用の通信インタフェースから移動先のネットワーク用の通信インタフェースに切り換わることで、即ち、携帯端末の移動に伴い、最適なネットワーク用の通信インタフェースのみを起動させることができる。その結果、無駄な電力消費の発生を抑えることができるため、電力消費を抑制することができる。
【００２３】
請求項３記載の発明によれば、携帯端末がローカルネットワークに接続していないときには、セルラー網用通信インタフェースが起動するため、携帯端末がローカルネットワークに接続されていないとき、呼の発生に対して常時対応することができる。
【００２４】
請求項４記載の発明によれば、携帯端末がローカルネットワークとの接続が不可能となったときには、セルラー網用通信インタフェースが起動するため、携帯端末がローカルネットワークとの接続が不可能となったとき、呼の発生に対して常時対応することができる。
【００２５】
請求項５記載の発明によれば、通話が行われている期間のみ、前記セルラー網用通信インタフェースへの電源供給が行われるようにすることができることにより、無駄な電力消費の発生を抑えることができるため、電力消費を抑制することができる。
【００２６】
請求項６記載の発明によれば、携帯端末への呼が発生したとき、この呼の発生を、セルラー網を介することなく、携帯端末に通知することができることにより、携帯端末のセルラー網通信インタフェースを起動させておかなくても呼の発生を通知できることにより、携帯端末の無駄な電力消費の発生を抑えることができるため、電力消費を抑制することができる。
【００２７】
請求項７記載の発明によれば、携帯端末がハンドオーバを行うことで接続先のローカルネットワークが変更したときでも、前記第１の携帯端末記憶装置は、前記携帯端末の接続先であるローカルネットワークを把握することができることにより、前記第１の携帯端末記憶装置は、携帯端末のハンドオーバの有無に関らず、セルラー網内及び複数のローカルネットワーク内の通信エリア内の携帯端末を管理することができる。
【００２８】
請求項８記載の発明によれば、前記携帯端末が前記呼の受信が可能となったとき、前記呼の受信が可能となった旨の情報が前記第１の携帯端末記憶装置に通知され、通知後、前記携帯端末はセルラー網を介して通話を行うことができる。
【発明を実施するための最良の形態】
【００２９】
＜１．無線ネットワークシステムの構成＞
本発明の一実施形態である携帯端末を利用した無線ネットワークシステムについて、図１、図２を用いて説明する。図１は、本実施形態に係る携帯端末２（２Ａ、２Ｂ、２Ｃ）を利用した無線ネットワークシステム１における各ネットワークの通信エリアを示す模式図である。図２は、本実施形態の携帯端末２（２Ａ、２Ｂ、２Ｃ）を利用した無線ネットワークシステム１の全体構成を示す図である。
【００３０】
この無線ネットワークシステム１は、図１の通り、ネットワークとして、広範囲のエリアをカバーするセルラー網と、セルラー網の通信エリア内にセルラー網より狭い通信エリアを有するＷＭＡＮ（Ｗｉｒｅｌｅｓｓ  Ｍｅｔｒｏｐｏｌｉｔａｎ  Ａｒｅａ  Ｎｅｔｗｏｒｋ）及びＷＬＡＮ（Ｗｉｒｅｌｅｓｓ  Ｌｏｃａｌ  Ａｒｅａ  Ｎｅｔｗｏｒｋ）を有している。なお、図１において、１００はセルラー網２００の通信エリア、１０１はＷＭＡＮ２０５の通信エリア、１０２はＷＬＡＮ２０９の通信エリアである。
【００３１】
（１．１  セルラー網の構成）
セルラー網２００は、図２の通り、携帯端末位置管理装置（以下、ロケータと称する）２０１、ユーザデータベース２０２、セルラー網２００の通信エリア１００内に配置された基地局２０３ａ、２０３ｂ、２０３ｃ、２０３ｄから構成されており、ロケータ２０１を介してバックボーンネットワーク（セルラー網とＷＭＡＮ及びＷＬＡＮとを結ぶネットワーク）２０４に接続されている。なお、基地局は、この無線ネットワークシステムでは４台あるが、通信エリア１００をカバーするのであるのならば、３台以下でも、５台以上であっても良い。
【００３２】
ロケータ２０１は、セルラー網２００の事業者と契約関係にある、ＷＭＡＮ２０５に接続中の全ての携帯端末２及びＷＬＡＮ２０９に接続中の全ての携帯端末２を含め、セルラー網２００の通信エリア１００内の全ての携帯端末２を管理している。具体的には、セルラー網２００の通信エリア１００内の携帯端末２がそれぞれ如何なるネットワーク（セルラー網２００、ＷＭＡＮ２０５、ＷＬＡＮ２０９）に接続されているかを管理している。ロケータ２０１の動作の詳細については後記する。
ユーザデータベース２０２は、ロケータ２０１に接続され、ＷＭＡＮ２０５に接続中の全ての携帯端末２及びＷＬＡＮ２０９に接続中の全ての携帯端末２を含め、セルラー網２００の通信エリア１００内の携帯端末２がそれぞれ如何なるネットワーク（セルラー網２００、ＷＭＡＮ２０５、ＷＬＡＮ２０９）に接続されているかに関する情報を蓄積している。ユーザデータベース２０２の動作の詳細については後記する。
基地局２０３ａ、２０３ｂ、２０３ｃ、２０３ｄは、ロケータ２０１にそれぞれ管理され、ロケータ２０１の管理下にある携帯端末２と通信を行うために、セルラー網２００の通信エリア１００内に配置される。
【００３３】
セルラー網２００では、最大３８４ｋｂｐｓのデータ伝送速度を実現し、高速移動にも対応可能なＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）セルラー方式移動通信システムを例に取り上げているが、本発明は、Ｗ−ＣＤＭＡシステムに限定されるものではなく、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの他のセルラー方式システムを適用することが可能である。
【００３４】
（１．２  ＷＭＡＮの構成）
ＷＭＡＮ２０５は、図２の通り、ロケータ２０６、ユーザデータベース２０７、基地局２０８から構成されており、ロケータ２０６を介してバックボーンネットワーク２０４に接続されている。
ロケータ２０６は、ＷＭＡＮ２０５に接続している全ての携帯端末２を管理している。ロケータ２０６の動作の詳細については、後記する。
ユーザデータベース２０７は、ロケータ２０６に接続され、ＷＭＡＮ２０５に接続している全ての携帯端末２の携帯端末識別子を蓄積している。ユーザデータベース２０７の動作の詳細については後記する。
基地局２０８は、ロケータ２０６に接続され、ロケータ２０６の管理下にある携帯端末２と通信を行うため、即ち、ＷＭＡＮ２０５に接続している携帯端末２と通信を行うため、ＷＭＡＮ２０５の通信エリア１０１内に配置される。
【００３５】
（１．３  ＷＬＡＮの構成）
また、ＷＬＡＮ２０９も、図２の通り、ロケータ２１０、ユーザデータベース２１１、基地局２１２から構成されており、ロケータ２１０を介してバックボーンネットワーク２０４に接続されている。
ロケータ２１０は、ＷＬＡＮ２０９に接続している全ての携帯端末を管理している。ロケータ２１０の動作の詳細については、後記する。
ユーザデータベース２１１は、ロケータ２１０に接続され、ＷＬＡＮ２０９に接続している全ての携帯端末２の携帯端末識別子を蓄積している。ユーザデータベース２１１の動作の詳細については後記する。
基地局２１２は、ロケータ２１０に接続され、ロケータ２１０の管理下にある携帯端末２と通信を行うため、即ち、ＷＬＡＮ２０９に接続している携帯端末２と通信を行うため、ＷＬＡＮ２０９の通信エリア１０２内に配置される。
【００３６】
（１．４  携帯端末）
本実施形態に係る携帯端末２は、前記のセルラー網２００、ＷＭＡＮ２０５、ＷＬＡＮ２０９と接続可能な携帯端末であり、セルラー網２００との通信用インタフェース（以下、ＩＦと称する）、ＷＭＡＮ２０５との通信用ＩＦ、ＷＬＡＮ２０９との通信用ＩＦとして、それぞれ、セルラー網用通信ＩＦ、ＷＭＡＮ用通信ＩＦ、ＷＬＡＮ用通信ＩＦを有している。なお、携帯端末の構成、動作については、後記する。
【００３７】
＜２．ロケータ、ユーザデータベースの動作＞
次に、本実施形態に係る携帯端末２を利用した無線ネットワークシステムにおけるロケータ、ユーザデータベースの動作について、説明する。前記の通り、ロケータ２０１は、セルラー網２００の事業者と契約関係にある、ＷＭＡＮ２０５に接続中の全ての携帯端末２及びＷＬＡＮ２０９に接続中の全ての携帯端末２を含め、セルラー網２００内の通信エリア１００内の全ての携帯端末２を管理している。そして、ユーザデータベース２０２は、ＷＭＡＮ２０５に接続中の全ての携帯端末２及びＷＬＡＮ２０９に接続中の全ての携帯端末２を含め、セルラー網２００の通信エリア１００内の携帯端末２がそれぞれ如何なるネットワーク（セルラー網２００、ＷＭＡＮ２０５、ＷＬＡＮ２０９）に接続されているかに関する情報を蓄積している。
【００３８】
なお、携帯端末２がそれぞれ如何なるネットワーク（セルラー網２００、ＷＭＡＮ２０５、ＷＬＡＮ２０９）に接続されているかに関する情報を管理、蓄積するにあたり、各携帯端末２に割り当てられたＩＰ（Ｉｎｔｅｒｎｅｔ  Ｐｒｏｔｏｃｏｌ）アドレスを用いている。ＩＰアドレスとは、携帯端末２が接続しているネットワークのアドレス（ネットワーク識別子）と、ネットワーク内での携帯端末２自身のアドレス（携帯端末識別子）から構成されるアドレスであるため、このＩＰアドレスを用いることにより、携帯端末２がそれぞれ如何なるネットワーク（セルラー網２００、ＷＭＡＮ２０５、ＷＬＡＮ２０９）に接続されているかに関する情報を管理、蓄積することができる。
【００３９】
また、ＷＭＡＮ２０５の通信エリア１０１内に存在するロケータ２０６、ＷＬＡＮ２０９の通信エリア１０２内に存在するロケータ２１０も、同様にして、ＩＰアドレスを用いることにより、それぞれ、ＷＭＡＮ２０５、ＷＬＡＮ２０９に接続中の全ての携帯端末２を管理する。更に、ＷＭＡＮ２０５の通信エリア１０１内に存在するユーザデータベース２０７、ＷＬＡＮ２０９の通信エリア１０２に存在するユーザデータベース２１１も、同様にして、ＩＰアドレスを用いることにより、それぞれ、ＷＭＡＮ２０５、ＷＬＡＮ２０９にそれぞれ接続中の全ての携帯端末２の携帯端末識別子を蓄積している。
【００４０】
＜３．無線ネットワークシステムの動作＞
次に、本実施形態に係る携帯端末２を利用した無線ネットワークシステム１の動作について、説明する。まず、呼が発生したときの無線ネットワークシステム１の動作について、説明し、次に、携帯端末２がハンドオーバを行ったときの無線ネットワークシステム１の動作について、説明する。
【００４１】
（３．１  呼が発生したときの無線ネットワークシステムの動作）
まず、呼が発生したときの無線ネットワークシステム１の動作について、図３を用いると共に図１を随時用いて説明する。図３は、呼が発生したときの無線ネットワークシステム１の動作を示すフローチャートである。ＷＭＡＮ２０５及びＷＬＡＮ２０９の通信エリア外であると共にセルラー網２００の通信エリア１００内の携帯端末２Ａが発呼側で、ＷＬＡＮ２０９に接続中の携帯端末２Ｂが着呼側である場合を例にして説明する。
【００４２】
呼が発生する（ステップＳ３０１）と、携帯端末２Ａからロケータ２０１へ、発呼側である携帯端末２Ａの携帯電話識別子の情報と着呼側である携帯端末２Ｂの携帯電話識別子の情報とが、基地局２０３ａを介して送出される。両情報をロケータ２０１が受信すると、ユーザデータベース２０２に対して携帯端末２ＢのＩＰアドレス情報の送出を要求する（ステップＳ３０２）。この要求に対し、ユーザデータベース２０２は、携帯端末２ＢのＩＰアドレス情報をロケータ２０１に送出する。
なお、ＩＰアドレスは、前記の通り、ネットワーク識別子と携帯端末識別子から構成していることにより、携帯端末２ＢのＩＰアドレス情報をユーザデータベース２０２から受信することで、ロケータ２０１は携帯端末２Ｂが接続しているネットワークが判明する（ステップＳ３０３）。即ち、携帯端末２Ｂが接続しているネットワークはＷＬＡＮ２０９であることが判明する。
【００４３】
携帯端末２Ｂが接続しているネットワークが判明した後、ロケータ２０１は、携帯端末２Ａからの呼の発生を、バックボーンネットワーク２０４を介して（ＩＰ伝送で）、ＷＬＡＮ２０９の通信エリア１０２内のロケータ２１０に通知する（ステップＳ３０４）。ロケータ２１０は、携帯端末２Ａからの呼の発生の通知を受けた後、基地局２１２を介して、呼の発生を携帯端末２Ｂに通知する（ステップＳ３０５）。呼の発生が携帯端末２Ｂに通知された後、ＷＬＡＮ２０９に接続されていることでＷＬＡＮ用通信ＩＦを起動している携帯端末２Ｂは、セルラー網用通信ＩＦも起動することで、呼の受信が可能な状態になる。なお、後記するが、携帯端末２は、所定のネットワークに接続しているとき、所定のネットワーク用通信ＩＦを起動させている。
【００４４】
そして、携帯端末２Ｂが呼の受信が可能な状態になると、呼の受信が可能な状態になった旨の通知が、基地局２１２を介して、ロケータ２１０に送出され、更に、この通知が、ロケータ２１０からバックボーンネットワーク２０４を介してロケータ２０１に送出される。ロケータ２０１が呼の受信が可能な状態になった旨の通知を受信した後、この通知を携帯端末２Ａに送出する。携帯端末２Ａは、呼の受信が可能になった旨の通知を受信すると、呼出信号をセルラー網２００を介して、携帯端末２Ｂに送出する。例えば、携帯端末２Ｂが基地局２０３の通信エリア内にある場合、携帯端末２Ａからの呼出信号は、基地局２０３ａ、ロケータ２０１、基地局２０３ｃ、携帯端末２Ｂに送出される。呼出信号を携帯端末２Ｂが受信すると、内蔵されたスピーカ（図示せず）で着信音を鳴らす。着信音が鳴ったことで携帯端末２Ｂの操作者が通話ボタン（図示せず）を押下すると、携帯端末２Ｂは、携帯端末２Ａと通話可能な状態になる。
【００４５】
（３．２  携帯端末がハンドオーバを行ったときの無線ネットワークシステムの動作）
次に、携帯端末２がハンドオーバを行ったときの無線ネットワークシステム１の動作について、図１を用いて説明する。携帯端末２ＣがＷＭＡＮ２０５の通信エリア１０１からＷＬＡＮ２０９の通信エリア１０２に移動する場合を例にして説明する。
【００４６】
携帯端末２ＣがＷＭＡＮ２０５の通信エリア１０１からＷＬＡＮ２０９の通信エリア１０２に移動すると、この移動に伴って、携帯端末２Ｃが接続するネットワークが変化することにより、ネットワーク識別子が変化するため、携帯端末２ＣのＩＰアドレスが変化する。ＩＰアドレスが変化したとき、携帯端末２Ｃは、自身のＩＰアドレス情報を、基地局２１２を介してロケータ２１０に送出する。ロケータ２１０は、携帯端末２ＣのＩＰアドレス情報を受信すると、携帯端末２ＣのＩＰアドレス情報をユーザデータベース２１１に記憶させると共に、バックボーンネットワーク２０４を介して（ＩＰ伝送で）、ロケータ２０１に送出する。更に、携帯端末２ＣがＷＬＡＮ２０９の通信エリア１０２に移動した旨の通知を、バックボーンネットワーク２０４を介して、ロケータ２０６に送出する。
【００４７】
ロケータ２０１は、携帯端末２ＣのＩＰアドレス情報をロケータ２１０から受信すると、このＩＰアドレス情報をユーザデータベース２０２に記憶させると共に、ユーザデータベース２０２に蓄積されている携帯端末２ＣのもともとのＩＰアドレス情報を削除することで、携帯端末２ＣのＩＰアドレスを更新する。このＩＰアドレスの更新により、ロケータ２０１は携帯端末２ＣがＷＭＡＮ２０５の通信エリア１０１からＷＬＡＮ２０９の通信エリア１０２に移動したことを把握でき、更に、ユーザデータベース２０２は、携帯端末２Ｃの新たな接続先のネットワークがＷＬＡＮ２０９であることが把握できる状態で、携帯端末ＣのＩＰアドレスが記憶される。
一方、ロケータ２０６は、携帯端末２ＣがＷＬＡＮ２０９の通信エリア１０２に移動した旨の通知をロケータ２１０から受信すると、ユーザデータベース２０７に蓄積されている携帯端末２ＣのもともとのＩＰアドレス情報を削除する。即ち、ハンドオーバ先のロケータ２１０がハンドオーバ元のロケータ２０６から携帯端末２ＣがＷＬＡＮ２０９の通信エリア１０２に移動した旨の通知を受信した後、ユーザデータベース２０７に蓄積されている携帯端末２ＣのもともとのＩＰアドレスを削除する。
【００４８】
なお、携帯端末２ＣがＷＬＡＮ２０９の通信エリア１０２に移動する前に、携帯端末２Ｃがハンドオーバ先のＷＬＡＮ２０９の通信エリア１０２に移動する旨の通知を、基地局２０８を介してハンドオーバ元のロケータ２０６へ送出し、この通知をハンドオーバ元のロケータ２０６が受信した後、ユーザデータベース２０７に蓄積されている携帯端末２ＣのもともとのＩＰアドレスを削除するようにしても良い。
【００４９】
そして、携帯端末２Ｃが逆にＷＬＡＮ２０９の通信エリア１０２からＷＭＡＮ２０５の通信エリア１０１に移動する場合も同様にして、ロケータ２０１は携帯端末２ＣがＷＬＡＮ２０９の通信エリア１０２からＷＭＡＮ２０５の通信エリア１０１に移動したことを把握でき、更に、ユーザデータベース２０２は、携帯端末２Ｃの新たな接続先のネットワークがＷＭＡＮ２０５であることが把握できる状態で、携帯端末２ＣのＩＰアドレスが更新されて記憶される。更に、ＷＬＡＮ２０９の通信エリア１０２内のユーザデータベース２１１に蓄積されている携帯端末２ＣのもともとのＩＰアドレス情報が削除される。
携帯端末２がハンドオーバを行った際、携帯端末２のＩＰアドレスが変化するだけでなく、起動する通信用ＩＦが切り換わる。ハンドオーバによる携帯端末２の通信用ＩＦの切換については、後記する。
【００５０】
＜４．携帯端末の構成＞
次に、本発明の一実施形態に係る携帯端末２の構成について、図４を用いて説明する。図４は、本実施形態の携帯端末２の構成を示すブロック図である。本実施形態の携帯端末２は、図４の通り、アンテナ部４００、通信ＩＦ部４０１、電源部４０２、制御部４０３、操作・表示部４０６とから構成されている。
【００５１】
通信ＩＦ部４０１は、前記の通り、セルラー網用通信ＩＦ４０１ａ、ＷＭＡＮ用通信ＩＦ４０１ｂ、ＷＬＡＮ用通信用ＩＦ４０１ｃを有している。そして、これらの各通信ＩＦ４０１ａ、４０１ｂ、４０１ｃへの電源供給の制御は、制御部４０３内の通信ＩＦ制御部４０３ｂによって行われる。
電源部４０２は、制御部４０３内の通信ＩＦ制御部４０３ｂの制御により、各通信ＩＦ（セルラー網用通信ＩＦ４０１ａ、ＷＭＡＮ用通信ＩＦ４０１ｂ、ＷＬＡＮ用通信ＩＦ４０１ｃ）に電源供給を行う。
【００５２】
制御部４０３は、呼制御部４０３ａ、通信ＩＦ制御部４０３ｂ、指令部４０３ｅを有し、指令部４０３ｅは、データ解析部４０３ｃ、ハンドオーバ制御部４０３ｄを有する。
データ解析部４０３ｃは、アンテナ部４００で受信したデータの解析を行い、解析結果に基づいて、呼制御部４０３ａ、通信ＩＦ制御部４０３ｂへ指令を出力する。例えば、データ解析部４０３ｃは、アンテナ部４００で受信したデータの解析を行った結果、呼の通知であると判定した場合、呼制御部４０３ａに対して携帯端末が通話可能な状態とするよう指令を出力すると共に、通信ＩＦ制御部４０３ｂに対してセルラー網通信ＩＦ４０１ａを起動させるよう指令を出力する。
【００５３】
呼制御部４０３ａは、呼の通知があるとデータ解析部４０３ｃで判定されたとき、携帯端末を通話処理が可能な状態にする。また、呼制御部４０３ａは通話が終了したときに通信ＩＦ制御部４０３ｂに対して、セルラー網用通信ＩＦを停止状態にするため電源部４０２に電源供給の停止処理の指示を送出する。
通信ＩＦ制御部４０３ｂは、携帯端末２が接続するネットワーク（セルラー網２００、ＷＭＡＮ２０５、ＷＬＡＮ２０９）に基づいて、対応する通信ＩＦに電源を供給させるよう電源部４０２を制御する。例えば、ＷＭＡＮ２０５の通信エリア１０１内に携帯端末２が存在し、ＷＭＡＮ２０５に携帯端末２が接続するとき、ＷＭＡＮ用通信ＩＦ４０１ｂに電源を供給させるよう電源部４０２を制御する。同様にネットワークに接続していないときには対応する通信ＩＦを停止させるように電源部４０２を制御する。
【００５４】
ハンドオーバ制御部４０３ｄは、現在接続しているローカルネットワーク（ＷＭＡＮ２０５、ＷＬＡＮ２０９）の基地局（基地局２０８、基地局２１２）からの受信信号の電界強度またはその受信の安定度に基づいて、ハンドオーバが必要であるか否かを判定し、ハンドオーバが必要であると判定したとき、通信ＩＦ制御部４０３ｂに対してハンドオーバ先の通信ＩＦを起動させるよう指令を出力することにより、ハンドオーバを実施する。
操作・表示部４０６は、タッチパネルまたは操作ボタン等による操作と当該携帯端末搭載のモニターで表示を行うためのものであり、携帯端末２の操作者が操作およびサービスを受けるための操作・表示部である。
【００５５】
＜５．携帯端末の動作＞
（５．１  ＷＭＡＮ、ＷＬＡＮへの接続動作）
次に、本実施形態の携帯端末２の動作について、図５、図６を用いると共に、随時図１及び図４を用いて説明する。図５は、本実施形態の携帯端末２の動作を示すフローチャートの第１面である。図６は、本実施形態の携帯端末２の動作を示すフローチャートの第２面である。
【００５６】
操作者が操作・表示部４０６を操作することにより、携帯端末２の電源がＯＮとなる（ステップＳ５００）と、通信ＩＦ制御部４０３ｂは、電源部４０２を制御することにより、セルラー網用通信ＩＦ４０１ａに電源を供給させることで、セルラー網用通信ＩＦ４０１ａを起動させる（ステップＳ５０１）。
セルラー網用通信ＩＦ４０１ａを起動後、ＷＭＡＮ２０５またはＷＬＡＮ２０９への接続要求があったとき（ステップＳ５０２→Ｙｅｓ）、即ち、この接続要求のための操作が操作・表示部４０６で行われたとき、通信ＩＦ制御部４０３ｂは、ＷＭＡＮ用通信ＩＦ４０１ｂまたはＷＬＡＮ用通信ＩＦ４０１ｃに電源を供給させるよう電源部４０２を制御する。接続要求のための操作が行われる以外でも、アンテナ部４００で受信したＷＭＡＮ２０５またはＷＬＡＮ２０９への接続要求信号がセルラー網用通信ＩＦ４０１ａを介してデータ解析部４０３ｃに送出され、データ解析部４０３ｃの解析により、接続要求信号と判定されたとき、データ解析部４０３ｃの指令で、通信ＩＦ制御部４０３ｂが、ＷＭＡＮ用通信ＩＦ４０１ｂまたはＷＬＡＮ用通信ＩＦ４０１ｃに電源を供給させるよう電源部４０２を制御させるようにしても良い。
【００５７】
例えば、ＷＭＡＮ２０５への接続要求があったとき（ステップＳ５０３→Ｙｅｓ）、通信ＩＦ制御部４０３ｂは、ＷＭＡＮ用通信ＩＦ４０１ｂに電源を供給させるよう電源部４０２を制御することにより、ＷＭＡＮ用通信ＩＦ４０１ｂを起動させ（ステップＳ５０４）、基地局２０８を介してロケータ２０６にＷＭＡＮ２０５への接続要求信号を送信させる（ステップＳ５０５）。
【００５８】
そして、携帯端末２がＷＭＡＮ２０５の通信エリア１０１内に存在する場合、接続要求信号をロケータ２０６が受信し、ロケータ２０６は基地局２０８を介してＷＭＡＮ２０５への接続を許可する旨の信号を携帯端末２に送信する。そして、携帯端末２がＷＭＡＮ２０５への接続を許可する旨の信号をアンテナ部４００で受信する（ステップＳ５０６→Ｙｅｓ）と、この信号は、ＷＭＡＮ用通信ＩＦ４０１ｂを介して、データ解析部４０３ｃに送出され、データ解析部４０３ｃで解析される。そして、この解析によりＷＭＡＮ２０５への接続を許可する旨の信号であると判定された後、ＷＭＡＮ２０５に接続する（ステップＳ５０８）と共に、データ解析部４０３ｃは、セルラー網用通信ＩＦ４０１ａの電源をＯＦＦにするよう通信ＩＦ制御部４０３ｂに指令する。この指令により、通信ＩＦ制御部４０３ｂは、セルラー網用通信ＩＦ４０１ａへの電源供給を停止させるよう、電源部４０２を制御することにより、セルラー網用通信ＩＦ４０１ａの電源をＯＦＦにする（ステップＳ５０９）。
【００５９】
逆に、携帯端末２がＷＭＡＮ２０５の通信エリア１０１内に存在しない場合、接続要求信号をロケータ２０６が受信しないことにより、携帯端末２がＷＭＡＮ２０５への接続を許可する旨の信号を受信することはない（ステップＳ５０６→Ｎｏ）が、この場合、通信ＩＦ制御部４０３ｂは、ＷＭＡＮ用通信ＩＦ４０１ｂへの電源供給を停止させるよう、電源部４０２を制御することにより、ＷＭＡＮ用通信ＩＦ４０１ｂの電源をＯＦＦにする（ステップ５０７）。
【００６０】
一方、ＷＬＡＮ２０９への接続要求があったとき（ステップＳ５０２→Ｙｅｓ、ステップＳ５０３→Ｎｏ）、通信ＩＦ制御部４０３ｂは、ＷＬＡＮ用通信ＩＦ４０１ｃに電源を供給させるよう電源部４０２を制御することにより、ＷＬＡＮ用通信ＩＦ４０１ｃを起動させ（ステップＳ５１０）、基地局２１２を介してロケータ２１０にＷＬＡＮ２０９への接続要求信号を送信させる（ステップＳ５１１）。
【００６１】
そして、携帯端末２がＷＬＡＮ２０９の通信エリア１０２内に存在する場合、接続要求信号をロケータ２１０が受信し、ロケータ２１０は基地局２１２を介してＷＬＡＮ２０９への接続を許可する旨の信号を携帯端末２に送信する。そして、携帯端末２がＷＬＡＮ２０９への接続を許可する旨の信号をアンテナ部４００で受信する（ステップＳ５１２→Ｙｅｓ）と、この信号は、ＷＬＡＮ用通信ＩＦ４０１ｃを介して、データ解析部４０３ｃに送出され、データ解析部４０３ｃで解析される。そして、この解析によりＷＬＡＮ２０９への接続を許可する旨の信号であると判定された後、ＷＬＡＮ２０９に接続する（ステップＳ５１４）と共に、データ解析部４０３ｃは、セルラー網用通信ＩＦ４０１ａの電源をＯＦＦにするよう通信ＩＦ制御部４０３ｂに指令する。この指令により、通信ＩＦ制御部４０３ｂは、セルラー網用通信ＩＦ４０１ａへの電源供給を停止させるよう、電源部４０２を制御することにより、セルラー網用通信ＩＦ４０１ａの電源をＯＦＦにする（ステップＳ５０９）。
【００６２】
逆に、携帯端末２がＷＬＡＮ２０９の通信エリア１０２内に存在しない場合、接続要求信号をロケータ２１０が受信しないことにより、携帯端末２がＷＬＡＮ２０９への接続を許可する旨の信号を受信することはない（ステップＳ５１２→Ｎｏ）が、この場合、通信ＩＦ制御部４０３ｂは、ＷＬＡＮ用通信ＩＦ４０１ｃへの電源供給を停止させるよう、電源部４０２を制御することにより、ＷＬＡＮ用通信ＩＦ４０１ｃの電源をＯＦＦにする（ステップＳ５１３）。
【００６３】
以上のステップＳ５０２〜ステップＳ５１４の処理により、ＷＭＡＮ２０５の通信エリア１０１内に携帯端末２が存在し、且つ、携帯端末２によるＷＭＡＮ２０５への接続要求があったとき、通信ＩＦ制御部４０３ｂは、ＷＭＡＮ用通信ＩＦ４０１ｂに電源を供給させるように電源部４０２を制御することにより、ＷＭＡＮ用通信ＩＦ４０１ｂを起動させ、ＷＭＡＮ２０５に接続する。更に、セルラー網用通信ＩＦ４０１ａへの電源供給を停止させるように電源部４０２を制御することにより、セルラー網用通信ＩＦ４０１ａの電源をＯＦＦにする。
【００６４】
また、ＷＬＡＮ２０９の通信エリア１０２内に携帯端末２が存在し、且つ、携帯端末２によるＷＬＡＮ２０９への接続要求があったとき、通信ＩＦ制御部４０３ｂは、ＷＬＡＮ用通信ＩＦ４０１ｃに電源を供給させるように電源部４０２を制御することにより、ＷＬＡＮ用通信ＩＦ４０１ｃを起動させ、ＷＬＡＮ２０９に接続する。更に、セルラー網用通信ＩＦ４０１ａへの電源供給を停止させるように電源部４０２を制御することにより、セルラー網用通信ＩＦ４０１ａの電源をＯＦＦにする。
【００６５】
以上の通り、本実施形態の携帯端末２は、ＷＭＡＮ２０５の通信エリア１０１内に携帯端末２が存在するときにＷＭＡＮ２０５への接続要求があった場合、ＷＭＡＮ用通信ＩＦ４０１ｂを起動させると共にセルラー網用通信ＩＦ４０１ａへの電源供給を停止する。更に、ＷＬＡＮ２０９の通信エリア１０２内に携帯端末２が存在するときにＷＬＡＮ２０９への接続要求があった場合、ＷＬＡＮ用通信ＩＦ４０１ｃを起動させると共にセルラー網用通信ＩＦ４０１ａへの電源供給を停止する。
【００６６】
（５．２  呼が発生したときの動作）
そして、例えば、携帯端末２がＷＬＡＮ２０９に接続中に呼が発生した場合（ステップＳ５１５）、即ち、他の携帯端末２からの着呼があった場合、前記の３．１に記載の通り、ロケータ２０１は、他の携帯端末２からの呼の発生を、バックボーンネットワーク２０４を介して（ＩＰ伝送）で、ロケータ２１０に通知する。通知後、ロケータ２１０は、基地局２１２を介して、呼の発生を携帯端末２に通知する。
【００６７】
なお、呼の発生の通知を携帯端末２がアンテナ部４００で受信した際、この呼の発生の通知が起動中のＷＬＡＮ通信ＩＦ４０１ｃを介して、データ解析部４０３ｃに送出される。受信した呼の発生の通知が、データ解析部４０３ｃでの解析により、呼の通知であると判定されると、データ解析部４０３ｃは、セルラー網用通信ＩＦ４０１ａに電源を供給させるように通信ＩＦ制御部４０３ｂに指令すると共に、携帯端末２が通話可能な状態にするように呼制御部４０３ａに対して指令する。通信ＩＦ制御部４０３ｂへの指令により、通信ＩＦ制御部４０３ｂは、セルラー網用通信ＩＦ４０１ａに電源が供給されるように電源部４０２を制御することにより、セルラー網用通信ＩＦ４０１ａを起動させる（ステップＳ５１６）。
【００６８】
セルラー網用通信ＩＦ４０１ａを起動させることで呼の受信が可能な状態となったとき前記３．１に記載の通り、呼の受信が可能な状態になった旨の通知が、基地局２１２を介して、ロケータ２１０に送出され、更に、この通知が、ロケータ２１０からバックボーンネットワーク２０４を介してロケータ２０１に送出される。ロケータ２０１が呼の受信が可能な状態になった旨の通知を受信した後、この通知を発呼側の携帯端末２（前記に記載の他の携帯端末２）に送出する。発呼側の携帯端末２が呼の受信が可能となった旨の通知を受信すると、呼出信号をセルラー網２００を介して携帯端末２に送出する。呼出信号を携帯端末２がアンテナ部４００で受信すると、この呼出信号が起動中のセルラー網用通信ＩＦ４０１を介して、データ解析部４０３ｃに送出される。受信した呼出信号が、データ解析部４０３ｃでの解析により、呼出信号であると判定すると、データ解析部４０３ｃは、スピーカ（図示せず）に着信音を鳴らさせる。着信音が鳴ったことで、携帯端末２の操作者が操作・表示部４０６に設けられた通話ボタン（図示せず）を押下したとき、携帯端末２は、通話可能な状態になる。
【００６９】
通話が終了する（ステップＳ５１７）と、呼制御部４０３ａは通信ＩＦ制御部４０３ｂに対して、セルラー網用通信ＩＦ４０１ａへの電源供給を停止する指令を出力する。そして、通信ＩＦ制御部４０３ｂは、セルラー網用通信ＩＦ４０１ａの電源供給を停止させるように電源部４０２を制御することにより、セルラー網用通信ＩＦ４０１ａの電源をＯＦＦにする（ステップＳ５１８）と共に、呼制御部４０３ａは、携帯端末２の通話機能を停止させる。
【００７０】
以上の通り、本実施形態の携帯端末２は、ＷＬＡＮ２０９に接続中に呼が発生した場合、この呼の発生を契機にセルラー網通信ＩＦ４０１ａを起動させることができることにより、呼に対応することができる。即ち、常時、セルラー網通信ＩＦ４０１ａを起動させておかなくても、呼に対応することができるため、電力消費を抑制することができる。
更に、本実施形態の携帯端末２は、ＷＭＡＮ２０５に接続中に呼が発生した場合も、同様にして、この呼の発生を契機にセルラー網通信ＩＦ４０１ａを起動させることができることにより、呼に対応することができる。即ち、常時、セルラー網通信ＩＦ４０１ａを起動させておかなくても、呼に対応することができるため、電力消費を抑制することができる。
【００７１】
（５．３  ハンドオーバしたときの動作）
更に、携帯端末２が他の通信エリアに移動した場合、即ち、ＷＭＡＮ２０５の通信エリア１０１内からＷＬＡＮ２０９の通信エリア１０２内に移動したかまたはＷＬＡＮ２０９の通信エリア１０２内からＷＭＡＮ２０５の通信エリア１０１内に移動した場合、移動先のネットワーク用の通信ＩＦを起動させると共に移動元のネットワーク用の通信ＩＦの電源をＯＦＦにする。具体的には、ＷＭＡＮ２０５の通信エリア１０１内からＷＬＡＮ２０９の通信エリア１０２内に移動した場合、ＷＬＡＮ用通信ＩＦ４０１ｃを起動させると共にＷＭＡＮ用通信ＩＦ４０１ｂの電源をＯＦＦにし、逆に、ＷＬＡＮ２０９の通信エリア１０２内からＷＭＡＮ２０５の通信エリア１０１内に移動した場合、ＷＭＡＮ用通信ＩＦ４０１ｂを起動させると共にＷＬＡＮ用通信ＩＦ４０１ｃの電源をＯＦＦにする。
【００７２】
以下、携帯端末２が他のネットワークの通信エリアに移動するときに起動させる通信ＩＦの切換動作について、即ち、ハンドオーバするときに起動させる通信ＩＦの切換動作について、以下、詳細に説明する。携帯端末２がＷＭＡＮ２０５の通信エリア１０１内からＷＬＡＮ２０９の通信エリア１０２内に移動する場合を例に、詳細に説明する。
【００７３】
携帯端末２がＷＭＡＮ２０５の通信エリア１０１内からＷＬＡＮ２０９の通信エリア１０２内に移動すると、この移動に伴い、基地局２０８からの受信信号の電界強度または受信の安定度が小さくなる。そして、この受信信号の電界強度または受信の安定度が所定値以下になったとき（ステップＳ５１９→Ｙｅｓ）、ＷＭＡＮ２０５に接続中であるものの（ステップＳ５２０→Ｙｅｓ）、ハンドオーバ制御部４０３ｄはハンドオーバが必要であると判定する。即ち、起動させる通信ＩＦをＷＭＡＮ用通信ＩＦ４０１ｂからＷＬＡＮ用通信ＩＦ４０１ｃに切り換える必要があると判定する。
【００７４】
この判定により、ハンドオーバ制御部４０３ｄは、通信ＩＦ制御部４０３ｂに対して、ＷＬＡＮ用通信ＩＦ４０１ｃを起動させるように指令を出力する。そして、通信ＩＦ制御部４０３ｂは、ＷＬＡＮ用通信ＩＦ４０１ｃに電源を供給させるように電源部４０２を制御することにより、ＷＬＡＮ用通信ＩＦ４０１ｃを起動させる（ステップＳ５２１）。そして、基地局２１２を介してロケータ２１０にＷＬＡＮ２０９への接続要求信号を送信させる（ステップＳ５２２）。
【００７５】
そして、携帯端末２がＷＬＡＮ２０９の通信エリア１０２に移動している場合、ロケータ２１０は基地局２１２を介して接続要求信号を受信することにより、ロケータ２１０は基地局２１２を介してＷＬＡＮ２０９への接続を許可する旨の信号を携帯端末２へ送信する。携帯端末２は、ＷＬＡＮ２０９への接続を許可する旨の信号をアンテナ部４００で受信すると（ステップＳ５２３→Ｙｅｓ）、この信号は、ＷＬＡＮ用通信ＩＦ４０１ｃを介して、データ解析部４０３ｃに送出され、データ解析部４０３ｃで解析される。そして、この解析によりＷＬＡＮ２０９への接続を許可する旨の信号であると判定された後、ＷＬＡＮ２０９に接続させる（ステップＳ５２４）と共に、データ解析部４０３ｃは、ＷＭＡＮ用通信ＩＦ４０１ｂの電源をＯＦＦするように通信ＩＦ制御部４０３ｂに指令する。この指令により、通信ＩＦ制御部４０３ｂは、ＷＭＡＮ用通信ＩＦ４０１ｂへの電源供給を停止させるように電源部４０２を制御することにより、ＷＭＡＮ用通信ＩＦ４０１ｂの電源をＯＦＦにする（ステップＳ５２５）。
【００７６】
また、携帯端末２がＷＬＡＮ２０９の通信エリア１０２内からＷＭＡＮ２０５の通信エリア１０１内へ移動する場合も、この移動に伴い、基地局２１２からの受信信号の電界強度または受信の安定度が小さくなる。そして、この受信信号の電界強度または受信の安定度が所定値以下になったとき（ステップＳ５１９→Ｙｅｓ）、ＷＬＡＮ２０９に接続中であるものの（ステップ５２０→Ｎｏ）、ハンドオーバ制御部４０３ｄはハンドオーバが必要であると判定する。即ち、起動させる通信ＩＦをＷＬＡＮ用通信ＩＦ４０１ｃからＷＭＡＮ用通信ＩＦ４０１ｂに切り換える必要があると判定する。
【００７７】
この判定により、ハンドオーバ制御部４０３ｄは、通信ＩＦ制御部４０３ｂに対して、ＷＭＡＮ用通信ＩＦ４０１ｂを起動させるよう指令を出力する。そして、通信ＩＦ制御部４０３ｂは、ＷＭＡＮ用通信ＩＦ４０１ｂに電源が供給させるように電源部４０２を制御することにより、ＷＭＡＮ用通信ＩＦ４０１ｂを起動させる（ステップＳ５２６）。そして、基地局２０８を介してロケータ２０６にＷＭＡＮ２０５への接続要求信号を送信させる（ステップＳ５２７）。
【００７８】
そして、携帯端末２がＷＭＡＮ２０５の通信エリア１０１に移動している場合、ロケータ２０６は基地局２０８を介して接続要求信号を受信することにより、ロケータ２０６は基地局２０８を介してＷＭＡＮ２０５への接続を許可する旨の信号を携帯端末２へ送信する。携帯端末２は、ＷＭＡＮ２０５への接続を許可する旨の信号をアンテナ部４００で受信すると（ステップＳ５２８→Ｙｅｓ）、この信号は、ＷＭＡＮ用通信ＩＦ４０１ｂを介して、データ解析部４０３ｃに送出され、データ解析部４０３ｃで解析される。そして、この解析によりＷＭＡＮ２０５への接続を許可する旨の信号であると判定された後、ＷＭＡＮ２０５に接続させる（ステップＳ５２９）と共に、データ解析部４０３ｃは、ＷＬＡＮ用通信ＩＦ４０１ｂの電源をＯＦＦするよう通信ＩＦ制御部４０３ｂに指令する。この指令により、通信ＩＦ制御部４０３ｂは、ＷＬＡＮ用通信ＩＦ４０１ｃへの電源供給を停止させるよう電源部４０２を制御することにより、ＷＭＡＮ用通信ＩＦ４０１ｃの電源をＯＦＦにする（ステップＳ５３０）。
【００７９】
以上の通り、本実施形態の携帯端末２は、ＷＭＡＮ２０５に接続中のとき、ＷＭＡＮ用通信ＩＦ４０１ｂのみを起動させると共に、ＷＬＡＮ２０９に接続中のとき、ＷＬＡＮ用通信ＩＦ４０１ｃのみを起動させるだけでなく、携帯端末２が他のローカルネットワークの通信エリアに移動した場合、移動先のローカルネットワーク用の通信ＩＦのみを起動させることができる。従って、本実施形態の携帯端末２は、携帯端末自身が接続しているネットワーク以外のネットワーク用通信ＩＦの電源を起動することが無いことにより、電力消費を抑制することができる。
【００８０】
（５．４  ＷＭＡＮ、ＷＬＡＮとの接続を断絶した際の動作）
更に、ＷＭＡＮ２０５またはＷＬＡＮ２０９との接続を断絶する要求があったとき（ステップＳ５３１→Ｙｅｓ）、即ち、この接続を断絶するための操作が操作部４０６に対して行われたとき、通信ＩＦ制御部４０３ｂは、ＷＭＡＮ用通信ＩＦ４０１ｂまたはＷＬＡＮ用通信ＩＦ４０１ｃへの電源供給を停止させるよう電源部４０２を制御することにより、ＷＭＡＮ用通信ＩＦ４０１ｂまたはＷＬＡＮ用通信ＩＦ４０１ｃへの電源供給を停止する。即ち、ＷＭＡＮ２０５に接続していた場合には、ＷＭＡＮ用通信ＩＦ４０１ｂの電源をＯＦＦにし、一方、ＷＬＡＮ２０９に接続していた場合には、ＷＬＡＮ用通信ＩＦ４０１ｃの電源をＯＦＦにする（ステップＳ５３２）。
【００８１】
ＷＭＡＮ用通信ＩＦ４０１ｂまたはＷＬＡＮ用通信ＩＦ４０１ｃの電源をオフした後、通信ＩＦ制御部４０３ｂは、電源部４０２を制御することにより、セルラー網用通信ＩＦ４０１ａに電源を供給させることで、セルラー網用通信ＩＦ４０１ａを起動させる（ステップＳ５３３）。起動後、携帯端末２の利用停止要求があったとき（ステップＳ５３４→Ｙｅｓ）、即ち、携帯端末２の利用を停止するための操作が操作・表示部４０６に対して行われたとき、携帯端末２の電源がＯＦＦとなる（ステップＳ５３５）。
【００８２】
（５．５  まとめ）
以上の通り、本実施形態の携帯端末２及び本実施形態の携帯端末２を用いた無線ネットワークシステム１では、下記（１）〜（３）により、無駄な電力消費を抑えることができるため、電力消費を抑制することができる。
（１）ＷＭＡＮ２０５に接続しているかまたはＷＬＡＮ２０９に接続しているときに呼が発生した場合、この呼の発生を契機にセルラー網通信ＩＦ４０１ａを起動させることにより、呼に対応することで、常時、セルラー網通信ＩＦ４０１ａを起動させておかなくても、呼に対応することができる。
（２）ＷＭＡＮ２０５に接続しているとき、ＷＭＡＮ用通信ＩＦ４０１ｂのみを起動させると共に、ＷＬＡＮ２０９に接続しているとき、ＷＬＡＮ用通信ＩＦ４０１ｃのみを起動させることにより、携帯端末自身が接続しているネットワーク以外のネットワークの通信ＩＦの電源を起動することがない。
（３）携帯端末が他のネットワークの通信エリアに移動した場合、起動する通信ＩＦが移動元のネットワーク用の通信ＩＦから移動先のネットワーク用の通信ＩＦに切り換わることにより、携帯端末の移動に伴い、最適なネットワーク用の通信インタフェースのみを起動させることができる。
【００８３】
なお、本実施形態の携帯端末２を用いた無線ネットワークシステム１とは異なり、ローカルネットワーク（ＷＭＡＮ、ＷＬＡＮ）の通信エリアがセルラー網の通信エリアからはみ出している無線ネットワークシステムでも、同様にして、セルラー網を介することなく携帯端末に呼の発生を通知することができる。更に、上記（１）〜（３）により、無駄な電力消費を抑えることができるため、電力消費を抑制することができる。
【図面の簡単な説明】
【００８４】
【図１】本発明の一実施形態の携帯端末を利用した無線ネットワークシステムにおける各ネットワークの通信エリアを示す模式図である。
【図２】本発明の一実施形態の携帯端末を利用した無線ネットワークシステムの全体構成を示す図である。
【図３】呼が発生したときの無線ネットワークシステムの動作を示すフローチャートである。
【図４】本発明の一実施形態の携帯端末の構成を示すブロック図である。
【図５】本発明の一実施形態の携帯端末の動作を示すフローチャートの第１面である。
【図６】本発明の一実施形態の携帯端末の動作を示すフローチャートの第２面である。
【符号の説明】
【００８５】
１        無線ネットワークシステム
２        携帯端末
２Ａ      携帯端末
２Ｂ      携帯端末
２Ｃ      携帯端末
１００    セルラー網の通信エリア
１０１    ＷＭＡＮの通信エリア
１０２    ＷＬＡＮの通信エリア
２００    セルラー網
２０１    携帯端末位置管理装置（ロケータ）
２０２    ユーザデータベース
２０３ａ  基地局
２０３ｂ  基地局
２０３ｃ  基地局
２０３ｄ  基地局
２０４    バックボーンネットワーク
２０５    ＷＭＡＮ
２０６    携帯端末位置管理装置（ロケータ）
２０７    ユーザデータベース
２０８    基地局
２０９    ＷＬＡＮ
２１０    携帯端末位置管理装置（ロケータ）
２１１    ユーザデータベース
２１２    基地局
４００    アンテナ部
４０１ａ  セルラー網用通信インタフェース
４０１ｂ  ＷＭＡＮ用通信インタフェース
４０１ｃ  ＷＬＡＮ用通信インタフェース
４０２    電源部
４０３    制御部
４０３ａ  呼制御部
４０３ｂ  通信インタフェース制御部
４０３ｃ  データ解析部
４０３ｄ  ハンドオーバ制御部
４０３ｅ  指令部
４０６    操作・表示部
【図１】
2009246433.tif 000003
【図２】
2009246433.tif 000004
【図３】
2009246433.tif 000005
【図４】
2009246433.tif 000006
【図５】
2009246433.tif 000007
【図６】
2009246433.tif 000008